(57)【特許請求の範囲】
【請求項１】
底面に塵埃を吸引するための横長の開口を有する本体ケース２１に、駆動体により回転する回転ロータを前記開口の近傍に備えた掃除機用床ノズルにおいて、  前記回転ロータを構成するロータは、軸方向に沿って複数の
0003926462.tif 000005
軸線の回りに捩りを加えて前記支持溝及び前記ガイドを螺旋状にし、前記支持溝には清掃体を挿入固定し、前記ガイドには複数個の吹き出し穴を有するカバーを挿入固定したことを特徴とする掃除機用床ノズル。
【請求項２】
清掃片を一体に有するカバーを、ロータのガイドに挿入固定したことを特徴とする請求項１記載の掃除機用床ノズル。
【請求項３】
カバーに設けた吹き出し穴の吹き出し口を、回転ロータを回転させたときに床面近傍に位置するようにしたことを特徴とする請求項１及び２記載の掃除機用床ノズル。
【発明の詳細な説明】
【０００１】
【発明の属する技術分野】
本発明は、掃除機のアタッチメントとして使用される床ノズルの、駆動体によって回転する回転ロータに関するものである。
【０００２】
【従来の技術】
図１２〜図１５に従来の掃除機用床ノズルの回転ロータを例に示す。図において１はアルミニウムやその合金にて押し出し成形された中空パイプである。中空パイプ１の側面には複数個の長穴２がプレス加工等にて開けられている。３はゴムやプラスチック等の可撓性を有する材料で押し出し成形された中空ブレードで、円筒の外方に突出する清掃片４を有し、又円筒の周りには複数個の吹き出し穴５を有する。中空パイプ１を中空ブルード３の内周６に挿入し、中空ブレード３を中空パイプ１の外周に沿って所定の角度捩り、中空パイプ１の両端に駆動用のフン７、軸８を有するホルダー９を固着する。この時、ホルダー９によって中空ブレード３の捩りも固定する。このようにして回転ロータ１０が完成する。
【０００３】
中空ブレード３を螺旋状に捩ることによって吹き出し穴５も螺旋状に配置されるが、中空パイプ１に開けられた長穴２は、中空ブレード３の捩りによる吹き出し穴５のずれをカバーできるように設定してあるため、中空ブレード３の吹き出し穴５は中空パイプ１の内側に連通している。このように構成された回転ロータ１０は、床ノズルの本体ケース（図示せず）内で回転自在に支持されて、吸引された外気がファン７に流れ込むことによって回転駆動しながら、清掃片４によって床面を摺って塵埃をかき上げる。又、ホルダー９はその内側が中空パイプ１と連通しており、ホルダー９より中空パイプ１内へ流入した空気は長穴２を介して中空ブレード３の吹き出し穴５より外方へ吹き出すことによって床面の塵埃を巻き上げて、清掃効果を高めている。
【０００４】
【発明が解決しようとする課題】
上記のような従来の掃除機用床ノズルでは、空気の流通路を確保するために中空パイプ１や中空ブレード３を用いている。中空パイプ１には複数個の長穴２をプレス加工等にて開けている。中空ブレード３にも複数個の吹き出し穴５をプレス加工等にて開けている。このため製造工程において非常に手間のかかるものとなっていた。
【０００５】
この発明は、かかる問題点を解決するためになされたもので、清掃効率を落とすことなく、製造工程に手間のかからない回転ロータを提供することを目的としている。
【０００６】
【課題を解決するための手段】
本発明にかかる掃除機用床ノズルの回転ロータは、次のように構成したものである。
（１）底面に塵埃を吸引するための横長の開口を有する本体ケースに、駆動体により回転する回転ロータを前記開口の近傍に備えた掃除機用床ノズルにおいて前記回転ロータを構成するロータは、軸方向に沿って複数の支持溝及びガイドを
0003926462.tif 000002
加えて前記支持溝及び前記ガイドを螺旋状にし、前記支持溝には清掃体を挿入固定し、前記ガイドには複数個の吹き出し穴を有するカバーを挿入固定したものである。
【０００７】
（２）上記（１）の床ノズルにおいて、清掃片を一体に有するカバーを、ロータのガイドに挿入固定したものである。
（３）上記（１）及び（２）において、カバーに設けた吹き出し穴の吹き出し口を、回転ロータを回転させたときに床面近傍に位置するようにしたものである。
【０００８】
【発明の実施の形態】
実施の形態１
図１から図８に実施の形態１を示す。図において、２０は床ノズルであり、以下にその構成を説明する。２１は、底面に横長の開口２２を有する下ケース２３と、この下ケース２３を覆う上ケース２４より形成された本体ケースでその中央には一端が開口２２に連通し、他端は本体ケース２１の後端まで延在する中央通路２５を有し、連通管２６を上下動自在に収納支持している。
【０００９】
２７は一端が連通管２６に回転自在に支持され、他端が電気掃除機本体（図示せず）に接続される吸気パイプ、２８は回転ロータでロータ２９と清掃体３０、カバー３１、軸３２とファン３３を有するホルダー３４より構成され、開口２２の長手方向の両端に固定された軸受け３５に軸３２が回転自在に支持され、清掃体３０の自由端３６はその回転時に開口２２より突出される。
【００１０】
回転ロータ２８を構成するロータ２９はアルミニウムやその合金にて押し出し
0003926462.tif 000003
０を支持するための支持溝３７と、カバー３１を支持するためのガイド３８が設けられている。ロータ２９を長手方向の中心軸線の周りに捩りを加えて、支持溝３７及びガイド３８を螺旋状とする。
【００１１】
清掃体３０はゴムやプラスチック等の可撓性を有する材料で押し出し成形等で作られており、基部３９と自由端３６より構成される。カバー３１は断面が略Ｈ形でゴムやプラスチック等の可撓性を有する材料で押し出し成形等で作られている。カバー３１には複数個の空気を吹き出すための吹き出し穴４０がプレス加工等にて設けられている。
【００１２】
カバー３１の吹き出し穴４０はプレス加工等にて行う例を前述したが、インジェクション成形によって吹き出し穴４０も同時に成形することによって、更に手間のかからないものとすることができる。
【００１３】
清掃体３０の基部３９をロータ２９の支持溝３７に挿入し、カバー３１の案内溝４１をロータ２９のガイド３８に沿って挿入する。ロータ２９にカバー３１が取り付けられたことによって空間部４２が形成される。清掃体３０とカバー３１が取り付けられたロータ２９の両端にホルダー３４を固着して回転ロータ２８が完成する。
【００１４】
ロータ２９の両端に固着したホルダー３４は、回転ロータ２８を回転させるための駆動源であるファン３３を有している。又、ホルダー３４はその内側でロータ２９とカバー３１によって形成される空間部４２と連通しているため、ホルダー３４の端面より流入した空気は回転ロータ２８の空間部４２を経てカバー３１の吹き出し穴４０より吹き出すことになる。
【００１５】
このように構成された床ノズル２０は、掃除機本体（図示せず）の運転に伴い外気は開口２２より中央通路２５を通過し、吸気パイプ２７を介して掃除機本体（図示せず）に吸引される。又、本体ケース２１の側面に設けられた空気取り入れ口４３より流入した外気はファン３４を回転駆動させるものと、ホルダー３４の端面より回転ロータ２８の空間部４２へ流入するものとに分かれる。
【００１６】
このことによって回転ロータ２８は回転し、清掃体３０の自由端３６が床面に回転しながら衝突するため、床面に付着した塵埃をかき上げ、吸引される外気流に塵埃を乗せる。それと同時に、ホルダー３４端面から回転ロータ２８の空間部４２へ流入した外気はカバー３１の吹き出し穴４０より回転ロータ２８の外方へ吹き出す。吹き出した空気は床面へ激しく吹き付けられるので、毛足の長いじゅうたんであっても奥に入り込んだ塵埃を巻き上げることができ、清掃効果を高める。
【００１７】
なお、回転ロータ２８の回転を行うための駆動体を回転ロータ２８に一体化されたファン３３で説明したが、ファンを別体としてベルトを介して駆動させたり電動機（図示せず）を用いたり、床ノズル２０の走行用車輪（図示せず）の回転等を用いて駆動体を形成してもよいものである。
【００１８】
実施の形態２
図９に実施の形態２を示す。清掃片４７を一体に有するカバー４８の案内溝４９を、ロータ２９のガイド３８に沿って挿入する。ロータ２９の支持溝３７には例えば、基布４４と毛部４５から成る毛ブラシ４６の基布４４を挿入し回転ロータ５０を構成する。
【００１９】
このように構成することによって、実施の形態１で述べた効果をカバー４８のみで得ることができる。さらに本実施の形態では毛ブラシ４６をロータ２９の支持溝３７に装着しているため、フローリング等の床面に対して拭き効果や磨き効果を発揮する。
【００２０】
実施の形態３
図１０，１１に実施の形態３を示す。カバー５１に設けた吹き出し穴５２の吹き出し口５３を、回転ロータ５４を回転させたときに床面近傍に位置するようにする。このように構成することによって吹き出し口５３より外方へ吹き出した空気は、掃除機本体（図示せず）の吸引による空気の流れにほとんど影響を受けることなく床面へ吹き付けるため、実施の形態１よりも強い力で床面の塵埃を巻き上げて清掃効率が上がる。
【００２１】
【発明の効果】
以上の説明から明らかなように、本発明の掃除機用床ノズルは次に示すような効果を得ることができる。なお、説明に当たっては、請求項の番号と同じ番号を付してそれぞれの請求項の効果を記述する。
（１）  回転ロータを構成するロータは、軸方向に沿って複数の支持溝及びガ
0003926462.tif 000004
を加えて支持溝及びガイドを螺旋状にし、支持溝には清掃体を挿入固定し、ガイドには複数個の吹き出し穴を有するカバーを挿入固定したので、回転ロータを構成する際に手間のかからないものとなり、安価な回転ロータが提供できる。
ある。
【００２２】
（２）  清掃片を一体に有するカバーを、ロータのガイドに挿入固定したので請求項１の効果がカバーのみで得られる。よって、より手間のかからない安価な回転ロータとなる。
（３）  カバーに設けた吹き出し穴の吹き出し口を、回転ロータを回転させたときに床面近傍に位置するようにしたので、床面に空気をより強く吹き付けることが可能となり、清掃効率が上がる。
【図面の簡単な説明】
【図１】  本発明の実施の形態１の横断面図である。
【図２】  図１の上ケースを除いた斜視図である。
【図３】  本発明の実態の形態１に用いる回転ロータの正面図である。
【図４】  本発明の回転ロータを構成するロータの斜視図である。
【図５】  本発明の回転ロータを構成するロータに捩った後の状態の斜視図である。
【図６】  本発明の実施形態１に用いる清掃体の斜視図である。
【図７】  本発明の実施形態１に用いるカバーの斜視図である。
【図８】  本発明の実施形態１に用いる回転ロータの断面図である。
【図９】  本発明の実施形態２に用いる回転ロータの断面図である。
【図１０】  本発明の実施形態３に用いるカバーの斜視図である。
【図１１】  本発明の実施形態３に用いる回転ロータの断面図である。
【図１２】  従来の回転ロータの正面図である。
【図１３】  従来の回転ロータに用いる中空パイプの斜視図である。
【図１４】  従来の回転ロータに用いる中空ブレードの斜視図である。
【図１５】  従来の回転ロータの断面図である。
【符号の説明】
２９  ロータ  ３０  清掃体  ３１  カバー  ３７  支持溝
３８  ガイド  ４０  吹き出し穴  ４１  案内溝  ４２  空間部
４７  清掃片  ５３  吹き出し口
【図１】
0003926462.tif 000006
【図２】
0003926462.tif 000007
【図３】
0003926462.tif 000008
【図４】
0003926462.tif 000009
【図５】
0003926462.tif 000010
【図６】
0003926462.tif 000011
【図７】
0003926462.tif 000012
【図８】
0003926462.tif 000013
【図９】
0003926462.tif 000014
【図１０】
0003926462.tif 000015
【図１１】
0003926462.tif 000016
【図１２】
0003926462.tif 000017
【図１３】
0003926462.tif 000018
【図１４】
0003926462.tif 000019
【図１５】
0003926462.tif 000020